(57)【要約】 【課題】  簡便に装脱できる照明装置を提供する。【解決手段】  リング照明装置１００は、照明本体部２００と、この照明本体部２００を測定機本体部１１に装脱可能に取り付ける照明取付機構３００と、を備える。照明取付機構３００は、測定機本体部に取り付け固定される測定機側アダプタ４００と、ケース体２１０の上端面において挿通孔を囲んで設けられた照明側アダプタ５００と、を備えている。測定機側アダプタ４００と照明側アダプタ５００とは、互いの軸線を一致させた状態で近づけた際に測定機側アダプタ４００に照明側アダプタ５００が外嵌し、さらに、軸線を中心にして照明側アダプタ５００を回転させると、照明側アダプタ５００が測定機側アダプタ４００に係合する構成となっている。【選択図】  図１
2007003341.tif 000002
【特許請求の範囲】
【請求項１】
測定機に装脱自在に取り付けられる照明装置であって、
ケース体および前記ケース体の内部に配置され前記ケース体から光を発射する照明光学系を有する照明本体部と、
前記照明本体部を前記測定機に取り付ける照明取付機構と、を備え、
前記照明取付機構は、測定機に取り付け固定される測定機側アダプタと、
前記照明本体部に取り付け固定されるとともに前記測定機側アダプタに対して互いの軸線を一致させて近づけた際に前記測定機側アダプタに対して外嵌または内挿することにより前記測定機側アダプタに嵌合する照明側アダプタと、を備え、
前記測定機側アダプタは第１係合手段を有し、
前記照明側アダプタは、前記測定機側アダプタに前記照明側アダプタを嵌合させた状態において前記軸線を中心にして前記測定機側アダプタと前記照明側アダプタとを所定角度相対回転させた際に前記第１係合手段に係合する第２係合手段を有する
ことを特徴とする照明装置。
【請求項２】
請求項１に記載の照明装置において、
前記測定機側アダプタは、前記測定機に取り付け固定される基部と、この基部から軸線に沿って突設され前記照明側アダプタに内挿される取付内挿部と、を備え、
前記照明側アダプタは、前記照明本体部に取り付け固定され前記取付内挿部に外嵌する取付外筒部を備え、
前記第１係合手段は、前記取付内挿部から前記軸線に直交する方向に向けて突設された係合ピンであり、
前記第２係合手段は、前記取付外筒部の内側において前記軸線を囲んで形成され前記係合ピンを内部に受け入れ可能であって前記軸線の方向から係合ピンを導入する導入口を有する溝条である
ことを特徴とする照明装置。
【請求項３】
請求項２に記載の照明装置において、
前記溝条内には前記係合ピンが当接して前記測定機側アダプタと前記照明側アダプタとの相対回転の停止位置を決める停止ピンが設けられている
ことを特徴とする照明装置。
【請求項４】
請求項２または請求項３に記載の照明装置において、
前記測定機側アダプタおよび前記照明側アダプタのいずれか一方は先端が出没自在であるプランジャーピンを備え、
前記測定機側アダプタおよび前記照明側アダプタのいずれか他方は前記プランジャーピンの先端が嵌まる係止孔を備え、
前記測定機側アダプタと前記照明側アダプタとが所定角度相対回転した際に前記プランジャーピンの先端が前記係止孔に嵌合する
ことを特徴する照明装置。
【請求項５】
請求項１から請求項４のいずれかに記載の照明装置において、
前記測定機側アダプタには前記測定機を介して電源に電気的に導通した第１接続端子を有し、
前記照明側アダプタには前記照明本体部に電気的に導通した第２接続端子を有し、
前記測定機側アダプタと前記照明側アダプタとを所定角度回転させた際に前記第１接続端子と前記第２接続端子とが重なって導通する
ことを特徴とする照明装置。
【請求項６】
請求項２から請求項４のいずれかに記載の照明装置において、
前記測定機は、被測定物を撮像する対物レンズを備え、
前記ケース体は、前記対物レンズを内側に挿通させる挿通孔を有し、
前記照明光学系は、前記対物レンズの周囲から被測定物に向けてリング状に光束を照射するリング照明光学系であり、
前記取付内挿部は、前記対物レンズを挿通させる挿通孔を有する筒状体である
ことを特徴とする照明装置。
【請求項７】
測定機に装脱自在に取り付けられる照明装置であって、
ケース体および前記ケース体の内部に配置され前記ケース体から光を発射する照明光学系を有する照明本体部と、
前記照明本体部を前記測定機に取り付ける照明取付機構と、を備え、
前記照明取付機構は、測定機に取り付け固定される測定機側アダプタと、
前記照明本体部に取り付け固定されるとともに前記測定機側アダプタに対して互いの軸線を一致させて近づけた際に前記測定機側アダプタに対して外嵌または内挿することにより前記測定機側アダプタに嵌合する照明側アダプタと、を備え、
前記測定機側アダプタは、前記測定機に取り付け固定される基部と、この基部から軸線に沿って突設され前記照明側アダプタに内挿される断面円形の取付内挿部と、を備え、
前記照明側アダプタは、前記照明本体部に取り付け固定され前記取付内挿部に外嵌する断面円形の取付外筒部を備え、
前記取付内挿部の外周には周方向に溝条が形成され、
前記取付外筒部には、先端が出没自在であるプランジャーピンがこの取付外筒部の内側に突出する状態で設けられている
ことを特徴とする照明装置。
【請求項８】
請求項１から請求項７のいずれかに記載の照明装置と、
この照明装置が取り付けられる測定機と、を備える測定装置。
【発明の詳細な説明】
【技術分野】
【０００１】
本発明は、照明装置および測定装置に関する。
【背景技術】
【０００２】
被測定物Ｗに照明光を照射して被測定物Ｗからの反射光により得られる画像から被測定物Ｗの形状を測定する画像測定機１０が知られている（例えば、特許文献１、２、３）。図１０は、画像測定装置１０の全体構成を示す図である。図１１は、リング照明装置１００が取り付けられた状態の画像測定装置１０の内部構成を示す図である。図１２は、リング照明装置１００を測定機本体部１１に対して取り付けもしくは取り外す様子を示す図である。
【０００３】
画像測定装置１０は、載物台１９に載置された被測定物Ｗを撮像する測定機本体部１１と、撮像された画像に基づいて被測定物Ｗの形状解析を行う画像処理部２０と、被測定物Ｗを照明するリング照明装置１００と、を備える。
【０００４】
測定機本体部１１は、被測定物Ｗを撮像する撮像手段１２と、この撮像手段１２を被測定物Ｗの被測定部位に応じて３次元的に移動させる移動機構１５と、被測定物Ｗを載置する載物台１９と、を備えている。
撮像手段１２は、対物レンズ１３およびこの対物レンズ１３にて結像された像を撮像するＣＣＤカメラ１４と、を備える。移動機構１５は、載物台１９に対して前後にスライド移動可能に立設された門型フレーム１６と、この門型フレーム１６の梁部１６１を左右にスライド移動可能に設けられたＺコラム１７と、このＺコラム１７内を上下にスライド可能に設けられたＺスピンドル１８と、を備える。このＺスピンドル１８の下端に被測定物Ｗを撮像するための対物レンズ１３が取り付けられている。画像処理部２０は、ＣＣＤカメラ１４にて得られた画像データを処理する。
【０００５】
リング照明装置１００は、Ｚスピンドル１８の下端において対物レンズ１３を囲んで設けられ対物レンズ１３の周囲から被測定物Ｗに向けてリング状の光束を発射して被測定物Ｗを照明する照明本体部２００と、この照明本体部２００を測定機本体部１１に取り付ける照明取付機構３００と、を備える。
【０００６】
照明本体部２００は、下端面が開口するとともに上端面の中央に挿通孔２１１を有するリング状のケース体２１０と、ケース体２１０の内部に配置されケース体２１０の下端面からリング状の光束を発射する照明光学系２２０と、を備える。
【０００７】
照明光学系２２０は、ケース体２１０の内部において全体にリング状に配設された発光光源としての複数のＬＥＤ２２１により構成されている。なお、各ＬＥＤは、光の発射方向が所定の方向になるように設けられており、全体として、被測定物の測定領域における照度分布を略均一に照明するようになっている。
【０００８】
照明取付機構３００は、Ｚスピンドル１８の下端に設けられた測定機側アダプタ４００と、ケース体２１０の上端面において挿通孔２１１を囲んで設けられた照明側アダプタ５００と、を備える。
測定機側アダプタ４００は、Ｚスピンドル１８の下端に取り付けられる基部４１０と、基部４１０に突設されケース体２１０の挿通孔２１１内に挿入される取付内筒部４２０と、を備える。
【０００９】
照明側アダプタ５００は、ケース体２１０の上面に付設され取付内筒部４２０に外嵌する取付外筒部５１０にて構成されている。
基部４１０には位置決め用の位置決め孔４１１が穿設されており、取付外筒部５１０の端面には位置決め孔４１１に挿通可能な位置決めピン５１２が突設されている。また、取付内筒部４２０の外側面には周方向に溝条４２１が刻設されている。
【００１０】
リング照明装置１００を、測定機本体部１１に取り付けるにあたっては、まず、測定機側アダプタ４００をＺスピンドル１８の下端面に取付固定しておく。また、照明側アダプタ５００である取付外筒部５１０をケース体２１０に取付固定しておく。そして、取付外筒部５１０が取り付けられた照明本体部２００を下方から上方に持ち上げて取付外筒部５１０を取付内筒部４２０に外嵌する。このとき、位置決めピン５１２を位置決め孔４１１に挿入する。そして、複数個所において止めねじ５１４を取付外筒部５１０の外側から螺入して取付外筒部５１０を取付内筒部４２０に掛止する。すると、照明本体部２００が測定機本体部１１に取り付けられる。また、止めねじ５１４を弛めることにより照明本体部２００を測定機本体部１１から取り外すことができる。
【００１１】
【特許文献１】特開２００３−３１５６７８号公報
【特許文献２】特開２００３−３３７３６５号公報
【特許文献３】特開２００４−３６１５５２号公報
【発明の開示】
【発明が解決しようとする課題】
【００１２】
上記のような構成により照明本体部２００を測定機本体部１１に対して装脱することができるが、照明本体部２００を測定機本体部１１に対して装脱する際に複数の止めねじ５１４を締めたり弛めたりする作業が非常に面倒である。
そのため、画像測定装置１０による測定効率が悪くなるという問題が生じる。
また、止めねじ５１４を螺入する複数のねじ孔５１５を取付外筒部５１０に加工する必要があるが、筒状である取付外筒部５１０に対してねじ孔加工するには加工コストがかさみ、画像測定装置１０の製造コストを押し上げるという問題がある。
【００１３】
さらに、照明本体部２００を測定機本体部１１に装脱する際に、止めねじ５１４を締めたり弛めたりするので、一方の手で止めねじ５１４を回しつつ他方の手で照明本体部２００を保持しなければならないが、片手で照明本体部２００を保持すると支えきれずに誤って照明本体部２００を落としてしまうことが頻発する。
【００１４】
また、測定機本体部１１に照明本体部２００を取り付けた際には、位置決めピン５１２を位置決め孔４１１に挿通させることによって照明本体部２００の回転規制をしているところ、位置決め孔４１１と位置決めピン５１２とにガタがあるために照明本体部２００の取り付け位置の再現性が確保できないという問題があった。
【００１５】
本発明の目的は、簡便に装脱できる照明装置およびこの照明装置を備えた測定装置を提供することにある。
【課題を解決するための手段】
【００１６】
本発明の照明装置は、測定機に装脱自在に取り付けられる照明装置であって、ケース体およびケース体の内部に配置され前記ケース体から光を発射する照明光学系を有する照明本体部と、前記照明本体部を前記測定機に取り付ける照明取付機構と、を備え、前記照明取付機構は、測定機に取り付け固定される測定機側アダプタと、前記照明本体部に取り付け固定されるとともに前記測定機側アダプタに対して互いの軸線を一致させて近づけた際に前記測定機側アダプタに対して外嵌または内挿することにより前記測定機側アダプタに嵌合する照明側アダプタと、を備え、前記測定機側アダプタは第１係合手段を有し、前記照明側アダプタは、前記測定機側アダプタに前記照明側アダプタを嵌合させた状態において前記軸線を中心にして前記測定機側アダプタと前記照明側アダプタとを所定角度相対回転させた際に前記第１係合手段に係合する第２係合手段を有することを特徴とする。
【００１７】
このような構成において、測定機側アダプタを測定機に取り付け固定し、照明側アダプタを照明本体部に取り付け固定する。照明側アダプタが取り付けられた状態の照明本体部を測定機側アダプタに近づけていき、測定機側アダプタと照明側アダプタとを嵌合させる。そして、軸線を中心にして照明本体部を回転させると、測定機側アダプタの第１係合手段と照明側アダプタの第２係合手段とが係合して、照明本体部が測定機に取り付けられる。
【００１８】
このような構成によれば、照明本体部に取り付けられた照明側アダプタを測定機側アダプタに外嵌して回転させるだけで照明装置を測定機に取り付けることができるので、照明装置の取り付けが非常に簡便となり、作業効率が非常に向上する。また、従来のごとく止めねじでねじ止めする必要がなく、片手でドライバを持つ必要がないので、両手でしっかりと照明本体部を保持でき、照明装置を落下させてしまう恐れがない。
【００１９】
本発明では、前記測定機側アダプタは、前記測定機に取り付け固定される基部と、この基部から軸線に沿って突設され前記照明側アダプタに内挿される取付内挿部と、を備え、前記照明側アダプタは、前記照明本体部に取り付け固定され前記取付内挿部に外嵌する取付外筒部を備え、前記第１係合手段は、前記取付内挿部から前記軸線に直交する方向に向けて突設された係合ピンであり、前記第２係合手段は、前記取付外筒部の内側において前記軸線を囲んで形成され前記係合ピンを内部に受け入れ可能であって前記軸線の方向から係合ピンを導入する導入口を有する溝条であることが好ましい。
【００２０】
このような構成において、測定機側アダプタを測定機に取り付け、照明側アダプタを照明本体部に取り付けて、照明本体部を測定機側アダプタに近づけていくと、測定機側アダプタの取付内挿部に照明側アダプタの取付外筒部が外嵌する。
このとき、取付内挿部に突設された係合ピンが導入口から溝条に入る。
そして、係合ピンが溝条内に入ったところで、照明本体部を照明側アダプタとともに測定機側アダプタに対して回転させると、係合ピンが溝条に引っ掛かって照明本体部が測定機に取り付けられる。
【００２１】
本発明では、前記溝条内には前記係合ピンが当接して前記測定機側アダプタと前記照明側アダプタとの相対回転の停止位置を決める停止ピンが設けられていることが好ましい。
【００２２】
このような構成において、係合ピンを導入口から溝条内に嵌めて、係合ピンが停止ピンに当接するまで照明本体部ととともに照明側アダプタを回転させる。すると、係合ピンが溝条に引っ掛かって照明本体部が測定機に取り付けられるところ、係合ピンと停止ピンが当接した位置で照明本体部の回転が停止されるので、照明本体部の取り付け角度が常に一定し、取り付け位置の再現性を確保することができる。
【００２３】
本発明では、前記測定機側アダプタおよび前記照明側アダプタのいずれか一方は先端が出没自在であるプランジャーピンを備え、前記測定機側アダプタおよび前記照明側アダプタのいずれか他方は前記プランジャーピンの先端が嵌まる係止孔を備え、前記測定機側アダプタと前記照明側アダプタとが所定角度相対回転した際に前記プランジャーピンの先端が前記係止孔に嵌合することが好ましい。
【００２４】
このような構成において、照明側アダプタの取付外筒部を測定機側アダプタの取付内筒部に外嵌して照明本体部とともに照明側アダプタを回転させると、係合ピンが溝条に引っ掛かって照明本体部が測定機に取り付けられるところ、プランジャーピンの先端が係止孔に嵌合したところで照明本体部の回転が停止されるので、照明本体部の取り付け角度が常に一定し、取り付け位置の再現性を確保することができる。また、プランジャーピンが係止孔に嵌合しているので、照明側アダプタの回転が規制される。このように照明側アダプタの回転が規制されるので、係合ピンが溝条に引っ掛かった状態が維持され、照明側アダプタの意図しない回転によって係合ピンが溝条からはずれて照明本体部が落下する危険を防止することができる。
【００２５】
本発明では、前記測定機側アダプタには前記測定機を介して電源に電気的に導通した第１接続端子を有し、前記照明側アダプタには前記照明本体部に電気的に導通した第２接続端子を有し、前記測定機側アダプタと前記照明側アダプタとを所定角度回転させた際に前記第１接続端子と前記第２接続端子とが重なって導通することが好ましい。
【００２６】
このような構成において、照明側アダプタが取り付けられた状態の照明本体部を測定機側アダプタに近づけていき、測定機側アダプタと照明側アダプタとを嵌合させる。そして、軸線を中心にして照明本体部を回転させると、測定機側アダプタの第１係合手段と照明側アダプタの第２係合手段とが係合して、照明本体部が測定機に取り付けられる。このとき、照明側アダプタの第２接続端子が測定機側アダプタの第１接続端子に重なって接続端子同士が導通する。すると、電源からの電力が第１接続端子および第２接続端子を介して照明本体部に供給される。
このような構成によれば、照明本体部を測定機本体部に取り付ければ照明本体部が電源に接続されるので、改めて別途電源ケーブルを繋ぐ作業を省くことができる。また、照明本体部から電源ケーブルを引き出さなくてもよいので、外観の向上を図ることができる。
【００２７】
本発明では、前記測定機は、被測定物を撮像する対物レンズを備え、前記ケース体は、前記対物レンズを内側に挿通させる挿通孔を有し、前記照明光学系は、前記対物レンズの周囲から被測定物に向けてリング状に光束を照射するリング照明光学系であり、前記取付内挿部は、前記対物レンズを挿通させる挿通孔を有する筒状体であることが好ましい。
【００２８】
このような構成によれば、対物レンズの周囲から被測定物にリング状の光束を照射して被測定物を照明し、かつ、簡便に測定機本体に装脱できるリング照明装置とすることができる。
【００２９】
本発明の照明装置は、測定機に装脱自在に取り付けられる照明装置であって、ケース体および前記ケース体の内部に配置され前記ケース体から光を発射する照明光学系を有する照明本体部と、前記照明本体部を前記測定機に取り付ける照明取付機構と、を備え、前記照明取付機構は、測定機に取り付け固定される測定機側アダプタと、前記照明本体部に取り付け固定されるとともに前記測定機側アダプタに対して互いの軸線を一致させて近づけた際に前記測定機側アダプタに対して外嵌または内挿することにより前記測定機側アダプタに嵌合する照明側アダプタと、を備え、前記測定機側アダプタは、前記測定機に取り付け固定される基部と、この基部から軸線に沿って突設され前記照明側アダプタに内挿される断面円形の取付内挿部と、を備え、前記照明側アダプタは、前記照明本体部に取り付け固定され前記取付内挿部に外嵌する断面円形の取付外筒部を備え、前記取付内挿部の外周には周方向に溝条が形成され、前記取付外筒部には、先端が出没自在であるプランジャーピンがこの取付外筒部の内側に突出する状態で設けられていることを特徴とする。
【００３０】
このような構成において、測定機側アダプタを測定機に取り付け固定したうえで、取付外筒部が取り付けられた照明本体部を下方から上方に持ち上げて取付外筒部を取付内挿部に外嵌する。このとき、取付外筒部の内側に突出したプランジャーピンの先端が取付内挿部の溝条に係合する。すると、このプランジャーピンと溝条との係合により照明側アダプタが測定機側アダプタから落ちなくなる。この状態で、例えば、取付外筒部の外側から止めねじを螺入して取付外筒部を取付内挿部に取り付けて、照明本体部を測定機本体部に取り付ける。
【００３１】
このような構成によれば、プランジャーピンと取付内挿部の溝条との係合により、照明側アダプタが測定機側アダプタに一時的に係止されるので、照明本体部を測定機本体部に装脱する際に照明本体部が落下することを防止することができる。
【００３２】
本発明の測定装置は、前記照明装置と、この照明装置が取り付けられる測定機と、を備えることを特徴とする。
このような構成によれば、照明装置を簡便に装脱できる測定装置とすることができる。
【発明を実施するための最良の形態】
【００３３】
以下、本発明の実施の形態を図示するとともに図中の各要素に付した符号を参照して説明する。
（第１実施形態）
本発明のリング照明装置に係る第１実施形態について説明する。
図１は、リング照明装置１００の全体構成を示す斜視図である。
図２は、照明本体部２００を測定機本体部に取り付ける途中の様子を示す縦断面図である。
図３は、照明本体部２００を測定機本体部に取り付ける途中の様子を示す横断面図である。
図４は、照明本体部２００を測定機本体部に取り付けた状態の縦断面図である。
図５は、照明本体部２００を測定機本体部に取り付けた状態の横断面図である。
【００３４】
リング照明装置１００は、照明本体部２００と、この照明本体部２００を測定機本体部１１に装脱可能に取り付ける照明取付機構３００と、を備える。
【００３５】
照明本体部２００の構成は、基本的に背景技術にて説明した構成と同様であり、下端面が開口するとともに上端面の中央に挿通孔２１１を有するリング状のケース体２１０と、ケース体２１０の内部に配置されケース体２１０の下端面からリング状の光束を発射する照明光学系（リング照明光学系）２２０と、を備えており、照明光学系２２０は、ケース体２１０の内部においてリング状に配設された発光光源としての複数のＬＥＤ２２１により構成されている。なお、照明本体部２００には電源供給用の電源ケーブル２３０が設けられている。
【００３６】
照明取付機構３００は、測定機本体部１１に取り付け固定される測定機側アダプタ４００と、ケース体２１０の上端面に設けられた照明側アダプタ５００と、を備えている。
測定機側アダプタ４００と照明側アダプタ５００とは、互いの軸線Ａを一致させた状態で近づけた際に測定機側アダプタ４００に照明側アダプタ５００が外嵌し、さらに、軸線Ａを中心にして照明側アダプタ５００を回転させると、照明側アダプタ５００が測定機側アダプタ４００に係合する構成となっている。
【００３７】
測定機側アダプタ４００は、測定機本体部１１に取り付けられる基部４１０と、この基部４１０に突設されケース体２１０の挿通孔２１１に挿入される断面円形の取付内筒部（取付内挿部）４２０と、軸線Ａに対して直交する方向に向けて取付内筒部４２０に突設された係合ピン４３０と、基部４１０から軸線Ａに平行に設けられたプランジャーピン４４０と、を備えている。
なお、基部４１０および取付内筒部４２０には、測定機本体部１１の対物レンズ１３を挿通させる挿通孔４２２が設けられている。
【００３８】
照明側アダプタ５００は、ケース体２１０の上端面に付設され取付内筒部４２０に外嵌する取付外筒部５１０と、この取付外筒部５１０の内周において軸線Ａを囲んで形成された溝条５２０と、を備えている。
取付外筒部５１０は、取付内筒部４２０に外嵌する内径を有し、取付内筒部４２０を内側に内挿した状態で回転可能なように取付外筒部５１０の内周は円形である。取付外筒部５１０の上端面には、プランジャーピン４４０の先端が嵌合する係止孔５１１が形成されている。
【００３９】
溝条５２０は、取付外筒部５１０の内周に形成され、係合ピン４３０を内側に受け入れ可能な程度の溝幅である。そして、溝条５２０を構成する上端壁５２１と下端壁５２２とのうち、上端壁５２１の一部が切り欠かれて、係合ピン４３０を溝条５２０内に導入する導入口５２３が形成されている。また、溝条５２０内には、導入口５２３からずれた位置に停止ピン５２４が設けられ、この停止ピン５２４は溝条５２０内において係合ピン４３０に当接して回り止めとなる。
【００４０】
ここで、停止ピン５２４、プランジャーピン４４０および係止孔５１１の位置について説明する。取付内筒部４２０を取付外筒部５１０に内挿すると、係合ピン４３０が導入口５２３から溝条５２０内に受け入れられる。そして、係合ピン４３０を溝条５２０に受け入れた状態で取付外筒部５１０を回転させると、係合ピン４３０に対して停止ピン５２４が当接して、取付外筒部５１０の回転が規制される。このように停止ピン５２４が係合ピン４３０に当接して取付外筒部５１０の回転が止まったときにプランジャーピン４４０の先端が係止孔５１１に嵌合するようにプランジャーピン４４０と係止孔５１１とが配設されている。具体的には、軸線Ａを挟んで停止ピン５２４と略反対側に係止孔５１１が設けられ、同様に、軸線Ａを挟んで係合ピン４３０と略反対側にプランジャーピン４４０が配設されている。
【００４１】
このような構成を備える第１実施形態において、リング照明装置１００を測定機本体部１１に対して装脱する作業手順について説明する。
まず、リング照明装置１００を測定機本体部１１に取り付ける作業について説明する。リング照明装置１００を測定機本体部１１に取り付けるにあたっては、まず、測定機側アダプタ４００を測定機本体部１１に取り付け固定する。このとき、測定機本体部１１の対物レンズ（図１〜図５では不図示）を基部４１０および取付内筒部４２０の挿通孔４２２に挿通する。また、照明側アダプタ５００である取付外筒部５１０を照明本体部２００のケース体２１０に取り付け固定する。
【００４２】
そして、照明側アダプタ５００が取り付けられた照明本体部２００を持ち上げて、測定機側アダプタ４００と照明側アダプタ５００との軸線Ａを合わせて両者を近づけていき、取付内筒部４２０に取付外筒部５１０を外嵌する。このとき、取付内筒部４２０に突設された係合ピン４３０が導入口５２３から溝条５２０内に入るようにする。図２、図３は、係合ピン４３０を導入口５２３から溝条５２０に嵌めた状態を示す図である。係合ピン４３０が導入口５２３から溝条５２０内に入って取付外筒部５１０が取付内筒部４２０に外嵌したところで、軸線Ａを中心にして照明本体部２００を回転させる。すると、係合ピン４３０に対して導入口５２３の位置がずれて、係合ピン４３０が溝条５２０内に嵌まる。
【００４３】
係合ピン４３０と停止ピン５２４とが当接するまで照明本体部２００を回し、係合ピン４３０と停止ピン５２４とが当接したところで、プランジャーピン４４０の先端が係止孔５１１に嵌合したことを確認する。この状態で、係合ピン４３０が溝条５２０内において溝条５２０の上端面に引っ掛かって照明本体部２００が測定機本体部１１に取り付けられる。そして、係止孔５１１にプランジャーピン４４０の先端が嵌合することで照明本体部２００の回転が規制され、照明本体部２００が測定機側アダプタ４００から抜け落ちなくなる。図４、図５は、リング照明装置１００を測定機本体部１１に取り付けた状態を示す図である。
【００４４】
次に、リング照明装置１００を測定機本体部１１から取り外す作業について説明する。
リング照明装置１００を測定機本体部１１から取り外すにあたっては、軸線Ａを中心にして照明本体部２００を回し、導入口５２３が係合ピン４３０に重なるようにする。すると、係合ピン４３０が導入口５２３から抜けて溝条５２０から外れる。係合ピン４３０が溝条５２０から外れると、照明側アダプタ５００が測定機側アダプタ４００から外れて、照明本体部２００が測定機本体部１１から取り外される。
【００４５】
このような構成を備える第１実施形態によれば、次の効果を奏することができる。
（１）照明本体部２００に取り付けられた照明側アダプタ５００を測定機側アダプタ４００に外嵌して回転させるだけでリング照明装置１００を測定機本体部１１に取り付けることができるので、リング照明装置１００の取り付けが非常に簡便となり、作業効率が非常に向上する。また、従来のごとく止めねじでねじ止めする必要がなく、片手でドライバを持つ必要がないので、両手でしっかりと照明本体部２００を保持でき、リング照明装置１００を落下させてしまう恐れがない。
【００４６】
（２）係合ピン４３０を導入口５２３から溝条５２０内に嵌めて、係合ピン４３０が停止ピン５２４に当接するまで照明本体部２００ととともに照明側アダプタ５００を回転させると、係合ピン４３０が溝条５２０に引っ掛かって照明本体部２００が測定機本体部１１に取り付けられるところ、係合ピン４３０と停止ピン５２４とが当接した位置で照明本体部２００の回転が停止されるので、照明本体部２００の取り付け角度が常に一定し、取り付け位置の再現性を確保することができる。
【００４７】
（３）照明側アダプタ５００の取付外筒部５１０を測定機側アダプタ４００の取付内筒部４２０に外嵌して照明本体部２００とともに照明側アダプタ５００を回転させると、係合ピン４３０が溝条５２０に引っ掛かって照明本体部２００が測定機本体部１１に取り付けられるところ、プランジャーピン４４０の先端が係止孔５１１に嵌合したところで照明本体部２００の回転が停止されるので、照明本体部２００の取り付け角度が常に一定し、取り付け位置の再現性を確保することができる。また、プランジャーピン４４０が係止孔５１１に嵌合しているので、照明側アダプタ５００の回転が規制される。このように照明側アダプタ５００の回転が規制されるので、係合ピン４３０が溝条５２０に引っ掛かった状態が維持され、照明側アダプタ５００の意図しない回転によって係合ピン４３０が溝条５２０からはずれて照明本体部２００が落下する危険を防止することができる。
【００４８】
（第２実施形態）
次に、本発明の第２実施形態について図６、図７を参照して説明する。
図６は、第２実施形態においてリング照明装置の全体構成を示す斜視図である。
図７は、照明本体部２００を測定機本体部に取り付けた状態の横断面図である。
第２実施形態の基本的構成は、第１実施形態に同様であるが、第２実施形態が特徴とする点は、照明側アダプタ５００を測定機側アダプタ４００に取り付けた際に、同時に照明本体部２００に電源が接続される点に特徴を有する。
【００４９】
図６において、測定機側アダプタ４００の基部４１０には、第１接続端子４１２が設けられている。第１接続端子４１２は、測定機本体部１１を介して電源に導通されている。照明側アダプタ５００の取付外筒部５１０には、第２接続端子５１３が設けられている。第２接続端子５１３は、照明本体部２００に導通されている。そして、第１接続端子４１２と第２接続端子５１３とは、係合ピン４３０を溝条５２０に受け入れた状態で取付外筒部５１０を回転させた際に停止ピンが係合ピン４３０に当接して取付外筒部５１０の回転が止まったときに第１接続端子４１２と第２接続端子５１３とが重なって導通する位置に設けられている。
【００５０】
このような構成によれば、照明本体部２００を測定機本体部１１に取り付ければ照明本体部２００が電源に接続されるので、改めて別途電源ケーブル２３０を繋ぐ作業を省くことができる。また、照明本体部２００から電源ケーブル２３０を引き出さなくてもよいので、外観の向上を図ることができる。
【００５１】
（第３実施形態）
次に、本発明の第３実施形態について図８、図９を参照して説明する。
図８は、第３実施形態において照明本体部２００を測定機本体部１１に取り付けた状態の縦断面図である。
図９は、照明本体部２００を測定機本体部１１に取り付けた状態の横断面図である。
【００５２】
ここで、図１２にて説明した従来技術では、複数個所において止めねじ５１４を取付外筒部５１０の外側から螺入して取付外筒部５１０を取付内筒部４２０に掛止していた。これに対し、第３実施形態では、取付外筒部５１０には、予めプランジャーピン５１６を螺入し、プランジャーピン５１６の先端を取付外筒部５１０の内側にわずかに突出させておく。
【００５３】
そして、リング照明装置１００を、測定機本体部１１に取り付けるにあたっては、測定機側アダプタ４００を測定機本体部１１に取り付け固定したうえで、取付外筒部５１０が取り付けられた照明本体部２００を下方から上方に持ち上げて取付外筒部５１０を取付内筒部４２０に外嵌する。
このとき、取付外筒部５１０の内側に突出したプランジャーピン５１６の先端が取付内筒部４２０の溝条４２１に係合する。すると、このプランジャーピン５１６と溝条４２１との係合により照明側アダプタ５００が測定機側アダプタ４００から落ちなくなる。
この状態で、取付外筒部５１０の外側から止めねじ５１４を螺入して取付外筒部５１０を取付内筒部４２０に取り付けて、照明本体部２００を測定機本体部１１に取り付ける。
【００５４】
このような構成によれば、プランジャーピン５１６と取付内筒部４２０の溝条４２１との係合により、照明側アダプタ５００が測定機側アダプタ４００に一時的に係止されるので、照明本体部２００を測定機本体部１１に装脱する際に照明本体部２００が落下することを防止することができる。
【００５５】
なお、本発明は前述の実施形態に限定されず、本発明の目的を達成できる範囲での変形、改良等は本発明に含まれる。
係合ピン４３０が取付外筒部５１０に設けられ、溝条が取付内筒部４２０に設けられていてもよい。また、照明側アダプタ５００が測定機側アダプタ４００に外嵌する構成のみならず、照明側アダプタ５００が測定機側アダプタ４００に内挿されてもよい。
照明光学系の構成は、上記実施形態に限定されるものではなく、例えば、ＬＥＤの光を反射するリング状の反射ミラーを備え、ＬＥＤからの光をリング状の反射ミラーで反射して被測定物にリング状光束を照射する構成であってもよい。
【産業上の利用可能性】
【００５６】
本発明は、照明装置に利用できる他、画像測定装置に利用することができる。
【図面の簡単な説明】
【００５７】
【図１】第１実施形態において、リング照明装置の全体構成を示す斜視図。
【図２】第１実施形態において、照明本体部を測定機本体部に取り付ける途中の様子を示す縦断面図。
【図３】第１実施形態において、照明本体部を測定機本体部に取り付ける途中の様子を示す横断面図。
【図４】第１実施形態において、照明本体部を測定機本体部に取り付けた状態の縦断面図。
【図５】第１実施形態において、照明本体部を測定機本体部に取り付けた状態の横断面図。
【図６】第２実施形態において、リング照明装置の全体構成を示す斜視図。
【図７】第２実施形態において、照明本体部を測定機本体部に取り付けた状態の横断面図。
【図８】第３実施形態において、照明本体部を測定機本体部に取り付けた状態の縦断面図。
【図９】第３実施形態において、照明本体部を測定機本体部に取り付けた状態の横断面図。
【図１０】画像測定装置の全体構成を示す図。
【図１１】リング照明装置が取り付けられた状態の画像測定装置の内部構成を示す図。
【図１２】リング照明装置を測定装置本体に対して取り付けもしくは取り外す様子を示す図。
【符号の説明】
【００５８】
１０…画像測定装置、１１…測定機本体部、１２…撮像手段、１３…対物レンズ、１４…ＣＣＤカメラ、１５…移動機構、１６…門型フレーム、１７…Ｚコラム、１８…Ｚスピンドル、１９…載物台、２０…画像処理部、１００…リング照明装置、１６１…梁部、２００…照明本体部、２１０…ケース体、２１１…挿通孔、２２０…照明光学系、２２１…ＬＥＤ、２３０…電源ケーブル、３００…照明取付機構、４００…測定機側アダプタ、４１０…基部、４１１…位置決め孔、４１２…第１接続端子、４２０…取付内筒部、４２１…溝条、４２２…挿通孔、４３０…係合ピン、４４０…プランジャーピン、５００…照明側アダプタ、５１０…取付外筒部、５１１…係止孔、５１２…位置決めピン、５１３…第２接続端子、５１５…ねじ孔、５１６…プランジャーピン、５２０…溝条、５２１…上端壁、５２２…下端壁、５２３…導入口、５２４…停止ピン、Ｗ…被測定物。
【図１】
2007003341.tif 000003
【図２】
2007003341.tif 000004
【図３】
2007003341.tif 000005
【図４】
2007003341.tif 000006
【図５】
2007003341.tif 000007
【図６】
2007003341.tif 000008
【図７】
2007003341.tif 000009
【図８】
2007003341.tif 000010
【図９】
2007003341.tif 000011
【図１０】
2007003341.tif 000012
【図１１】
2007003341.tif 000013
【図１２】
2007003341.tif 000014